Podtech/llm-jp-corpus-v4-ja_patent huggingface dataset:
(57)【要約】【課題】この発明は、和室の畳み、廊下、板張り床を、清掃する時に、複数の小形布製品、または、複数の小形紙製品の掃除器を、使用して、掃除の時は、湯、または、水で湿らせて、絞って、ばらまき、ばらまいた時に、なるべく重ならないようにする。そうして、座敷ほうきで、掃いて清掃する掃除に関するものである。【構成】約４０平方ｃｍの矩形で、約５ｍｍの厚さの立方体の布製品、または、紙製品を、約３０個をばらまいた時に、なるべく、重ならないように、立方体の上面部（１）と下面部（２）に、それぞれに、上凸起部（３）と下凸起部（４）が、出来る形にした掃除器です。【選択図】  図１
2004255144.tif 000002
【特許請求の範囲】
【請求項１】
約４０平方ｃｍの矩形で、厚さ、約５ｍｍの立方体の布製品を、約３０個を一単位とする掃除器。
【請求項２】
約４０平方ｃｍの矩形で、厚さ、約５ｍｍの立方体の紙製品を、約３０個を一単位とする掃除器。
【発明の詳細な説明】
【０００１】
【発明の属する技術分野】
本発明の複数の小形布製品の掃除器の場合は、湯、または、水で湿らせて、絞った後に、和室の畳み表、廊下、洋室の板張り床の上に、なるべく重ならないように、ばらまいた後に、座敷ほうき等で、掃いて、清掃します。清掃後、使用した複数の小形布製品の掃除器は、集めて、洗い、再度使用します。
複数の小形紙製品の掃除器も、複数の小形布製品の掃除器の清掃と同じように、使用しますが、使った後は、放棄します。
使用時に、なるべく、重ならないように、小形布製品の掃除器には、布で、立方体の上面部１には、上凸起部３と、下面部２には、下凸起部４を設けます。布は、綿繊維、または、合成繊維等を使用します。
小形紙製品の掃除器も、使用時に、なるべく、重ならないように、紙で、立方体の上面部１には、上凸起部３と、下面部２には、下凸起部４を、設けます。
【０００２】
【従来の技術】
手拭き雑巾使用時では、四つ這いの姿勢等が多いため、非常な労働力を使います。
座敷ほうき使用時は、小さい、軽い、塵芥は、空中に、飛び散る短所が、あります。
電気掃除器使用時は、絨毯では、吸引力で効果的ですが、廊下、板張り床座敷畳みでは、手拭き雑巾使用時ほど、効果的に、拭き取れません。
【０００３】
【発明が解決しようとする課題点】
複数の小形布製品、または、複数の小形紙製品の掃除器で、掃除する時は立位で、掃除ができ、手拭き雑巾使用時の、非常な、労働力を、省けます。
座敷きうき使用時の、小さい、軽い、塵芥も、空中に、飛び散らさずに、掃除が出来ます。
電気掃除器使用時では、廊下、板張り床、座敷畳みでは、手拭き雑巾使用時程の掃除効果は、出来ませんが、複数の小形布製品、または、複数の小形紙製品の掃除器を使えば、手拭き雑巾使用時の掃除効果と、殆ど、同様な、掃除が出来ます。
【図面の簡単な説明】
【図１】本発明の斜視図
【符号の説明】
１  は上面部
２  は下面部
３  は上凸起部
４  は下凸起部
【図１】
2004255144.tif 000003
(57)【要約】【課題】従来は、傘を閉じて持ち歩く時などに、傘の柄のはしにフック機能が無いために、荷物をかけることができず不便であった。本発明は、傘を閉じて持ち歩く時などに荷物などをかけることができるように、傘の柄のはしにフック機能を一体化させた傘の柄に関するものである。【解決手段】荷物（５）などをかけることができるようにするために、傘の柄（１）のはしにフック（２）機能を一体化させ、さらにフック（２）の先にフックの返し（３）を用いたことを特徴とする。【選択図】  図１
2004255150.tif 000002
【特許請求の範囲】
【請求項１】
傘の柄のはしにフック機能を一体化させた傘の柄。
【発明の詳細な説明】
この発明は傘の柄のはしにフック機能を取り付け、傘の柄のはしにフックを一体化させた傘の柄に関するものである。
従来、傘を閉じて傘を持ち歩く時には、傘の柄のはしにはフック機能がなかったために、荷物などを持ち歩く時などに傘の柄のはしに荷物をかけることができず不便であった。
本発明は、その欠点を改善するためになされたものである。
本発明を図面を用いて説明すれば、従来の傘の柄（１）のはしにフック（２）の機能をつけ、一体化させたものである。こうすることで図３のように傘を閉じた状態の時に荷物（５）などをかけることができる。また、フック（２）の先には荷物（５）が容易に落ちないようにフックの返し（３）がついている。
本発明はこのような構造から、傘を閉じて持ち歩く際などに、傘の柄のはしのフックに荷物などをかけることができて大変便利である。
このように、本発明は傘を閉じた時に、傘の柄（１）のはしに荷物（５）などをかけられるように、傘の柄（１）のはしにフック（２）機能を一体化させることを特許請求の範囲とする。したがって図１、図２以外の形においても、図４などのように、傘の柄（１）のはしにフック（２）機能を一体化させた傘の柄の全てに、本発明の保護権利は及ぶものとします。
【図面の簡単な説明】
【図１】本発明の斜視図
【図２】本発明の側面図
【図３】本発明の使用例図
【図４】本発明の他の形態の斜視図
【符号の説明】
１は傘の柄        ２はフック        ３はフックの返し
４は傘            ５は荷物
【図１】
2004255150.tif 000003
【図２】
2004255150.tif 000004
【図３】
2004255150.tif 000005
【図４】
2004255150.tif 000006
(57)【要約】【課題】熱い飲食物も吸飲することの出来るストロー、及び浅い食器でもストローが倒れない装置。【解決の手段】ストロー上部前面付近に吸気口を設ける、ストロー立てを用いる。【選択図】  図１
2004255152.tif 000002
【特許請求の範囲】
【請求項１】
本発明の、吸気口を設けたストロー（１）は、合成樹脂などで成る円筒状で筒の両端が開放した食品用ストローの上部前面（３）付近に吸気口（２）を設けてなるストローである、この、吸気口を設けたストロー（１）は、飲料などの入った容器にストローの下端部（５）を入れて上部開口の吸い口（４）より吸飲すると飲料などと一緒に吸気口（２）より入る空気も吸い込むもので、主に、熱い飲み物や、熱いスープ状食品などを飲食するときに使用する、例えば１００℃の熱湯を吸飲しても吸気口（２）より入る空気と混ざり合い霧状になって冷却された熱湯は、４０℃程度に冷まされるので口腔内火傷を防いで温かい食品の飲食をストローを介して愉しむことが出来るものである。
【請求項２】
ストロー立て（６）を用いると、浅いスープ皿（７）にストローを垂直に立てかけることが出来る、このストロー立て（６）は、横から見るとコの字状で、下の台部（１１）の上に食器（７）が載り、上の庇部（１２）の先端付近に、ストローより少し大口径の開口（１０）が設けられている。
【発明の詳細な説明】
【０００１】
【発明の属する技術分野】
本発明は、吸気口を設けて、吸飲物の温度調節を可能にしたストロー、及びストローを垂直に立てかける保持具に関する。
【０００２】
従来のストローでは、熱した飲食物は口腔内火傷をするおそれがあるので、使用できなかった。
【０００３】
【発明が解決しようとする課題】
従来のストローにおいては、低温の食品しか使用できないという問題点があった、また、従来のストローでは、浅いスープ皿などでは、手でストローを持って吸飲しなければならなかった、
【０００４】
本発明は、両端が開放した、筒状のストローの上部前面付近に開口を設け、熱した食品と吸気口より入る空気を同時に上端開口の吸い口より吸飲して、食品の温度を下げながら飲食することの出来る、高温食品用ストローを提供することを目的としている、また、浅い食器でもストローが倒れないための、保持具を提供することを目的としている。
【０００５】
【課題を解決するための手段】
上記目的を達成するために、本発明の吸気口を設けたストローにおいては、ストローの上部前面付近に吸気口が設けられている、また、ストロー立ては、浅い食器でもストローを垂直に保持するため、手の不自由な人が、手を使わずに飲食物を吸飲することが出来る。
【０００６】
【発明の実施の形態】
上記のように構成された、吸気口を設けたストローにおいては、食品の温度が下がると、上唇で開口を塞いで食品自体の温度で飲食することも出来る。
【０００７】
さらに、吸気口を設けたストローの口径を大きくして、ストロー立てでストローを垂直に保持すると、手の不自由な人が、自力で熱いスープやおかゆ或いは、麺類やペースト状の食品などを、飲食することが出来る。
【０００８】
【実施例】
実施例について図面を参照して説明すると、図１において、ストローの上部前面付近に吸気口が設けられている。
【０００９】
図２に示される実施例では、飲食物の入った容器の中にストローの下端部を入れ、上端開口の吸い口より吸飲すれば飲食物と、吸気口より入る空気を一緒にすすり込むことが出来る、図３に示される実施例では、ストロー立ては、横から見るとコの字状で図４に示すように台部の上に食器を置き、庇部にある開口よりストローを通して食器中央に垂直に立て掛けることが出来る。
【００１０】
【発明の効果】
本発明は，以上説明したように構成されているので、以下に記載されるような効果を奏する。
【００１１】
吸気口を設けたストローは、ホット飲料を、ストローで吸飲することを可能にする。
【００１２】
ストロー立てを使用すれば、手の不自由な人が、スプーンなどを使わずに、浅い食器に入ったスープなどをストローを介して吸飲することが出来る。
【図面の簡単な説明】
【図１】吸気口を設けたストローの斜視図
【図２】吸気口を設けたストローの実施態様を示した断面図
【図３】ストロー立ての断面図
【図４】ストロー立ての実施態様を示した斜視図
【符号の説明】
１    吸気口を設けたストロー
２    吸気口
３    上部前面付近
４    上端開口の吸い口
５    下端部
６    ストロー立て
７    スープ皿
１０  ストローより少し大口径の開口
１１  台部
１２  庇部
【図１】
2004255152.tif 000003
【図２】
2004255152.tif 000004
【図３】
2004255152.tif 000005
【図４】
2004255152.tif 000006
(57)【要約】【課題】散髪用のカットクロスであって、特に身体障害者や寝たきりの人、あるいは身体が大きい人が散髪する時に、断髪した髪の毛が洋服や車椅子・ベッド・足等に付着する事を防ぎ、カットクロスの中で身体を自由に動かす事が出来る、後方付けが簡単に出来るヘアーカットクロスを提供する。【解決手段】人体の形状を有する散髪または洗髪用のケープであって、ケープ体（１）の背面部は縦長の切り込みにより左右に開閉自由とし、背面部の縁は面ファスナーで止めることが可能としている。首周りの襟（２）は端部の表面と裏面に各々面ファスナーを設けて止着自由とする。袖部の袖口（３）はゴム紐を通して、さらにベルト（４）を設けて袖口（３）を縛るようにしている。裾（５）は横幅を従来より広くし、内部で身体が動くほどに空間の広さを持つようにする。ケープ体（１）は縦径は人体の首より足元まで長くしている。以上よりなる後方付けが簡単に出来るヘアーカットクロス。【選択図】          図１
2004255153.tif 000002
【特許請求の範囲】
【請求項１】
人体の形状を有する散髪または洗髪用のケープで、体（１）の背面部は縦長の切り込みにより左右に開閉自由とし、背面部の縁は面ファスナーで止める事が可能であり、首周りの襟（２）は端部の表面と裏面に各々面ファスナーを設けて止着自由とし、袖部は従来の長さより長く設けて袖口（３）はゴム紐を通してさらにベルト（４）と面ファスナー（８）を設けて袖口（３）を止めるようにし、裾（５）は横幅を従来より広くし、ケープ体（１）の縦径は人体の首より足元まで長くしている。
以上よりなる後方付けが簡単にできるヘアーカットクロス
【発明の詳細な説明】
【０００１】
【発明の属する技術分野】
この発明は、例えば体の大きい人、大きな車椅子、寝たきりの人、障害者の人が散髪や洗髪に使用するケープ状のカットクロスであって、得に散髪の時、髪の毛が洋服や車椅子やベット等に付着する事を少なくし、掃除の手間を省く事の出来る物である。
【０００２】
【従来の技術】
従来のカットクロスは長さが決まっている為、大きい人や車椅子障害者の人には小さく、特に大きな車椅子等には全体を包み込む事が出来ず、動きの激しい人には椅子との間に隙間も出来、髪の毛がこぼれ落ちる事が多く掃除も大変だった。又、長さも決まっていた為、ゆとりが無く手を伸ばすにしても隙間により洋服に髪の毛が付く事が多かった。そして長さも短い為、靴下等に髪の毛が付く事が多かった。
【０００３】
【発明が解決しようとする課題】
（イ）、首の周りに密着する部分を面ファスナーを多く取り付け、首の部分の密着性を高めるようにした。
（ロ）、体の大きい人や車椅子等には小さかったので多少激しい動きをしても髪の毛が洋服や靴下等に付く事を防ぐようにした。
（ハ）、体の大きい人や障害者の人にも使用出来るよう袖丈を長くし袖口より髪の毛が入る事を防ぐ為、袖口にゴム紐を通してさらにベルトで止め、袖口より髪の毛が入る事を少なくするようにした。
（ニ）、全体的に寸法を長くし、大きな車椅子等全体を包み込むようにし、洋服や車椅子に髪の毛が付く事を防ぐようにした。
（ホ）、障害を持った人達、特に大きな車椅子の人を全体的に包み込み髪の毛が車椅子の隙間より入りにくくし、掃除の手間を省けるようにした。
（ヘ）、車椅子等に髪の毛が入りにくくし不快感を少なくする為、全体を包み込むようにした。
（ト）、車椅子や障害者の人の洋服についた髪の毛は掃除するのが大変だったが、全体を包み込むようにし髪の毛が付きにくくなり、掃除が簡単に出来るようになった。
【０００４】
【課題を解決するための手段】
人体の形状を有する散髪または洗髪用のケープであってケープの体（１）の背面部は縦長の切り込みにより左右に開閉自由とし、背面部の縁は面ファスナーで止める事を可能にしている。首周りの襟（２）は端部の表面と裏面に各々面ファスナーを設けて止着自由とする。袖部の袖口（３）はゴム紐を通して、さらにベルト（４）を設けて袖口（３）を縛るようにしている。裾（５）は横幅を従来より広くし、内部で身体が動けるように空間の広さを持つようにする。ケープ体（１）の縦径は人体の首より足元まで長くしている。
以上よりなる後方付けが簡単に出来るヘアーカットクロス。
【０００５】
【発明の実施の形態】
以下、本発明の実施形態を図にて説明する。
（イ）、人体の形状を有する散髪または洗髪用のケープであって、全体が略円錐状からなるケープ体（１）の背面部は縦長の切り込みにより左右に開閉自由とし、背面部の縁は面ファスナー（６）で止める事を可能にしている。
（ロ）、ケープ体（１）の上端に首周りの襟（２）を設け、襟（２）は端部の表と裏面に各々面ファスナー（７）を設けて止着自由とする。
（ハ）、ケープ体（１）の両面に袖部を設け、各袖部の袖口（３）はゴム紐を通しさらにベルト（４）を設け、ベルト（４）で袖口（３）を縛るようにしている。
（ニ）、ケープ体（１）の下端を裾（５）とし、裾（５）は横幅を広くし、内部で身体が動くほどに空間の広さを持つようにしている。
（ホ）、ケープ体（１）の縦径は人体の首より足元まで長くしている。
以上よりなる後方付けが簡単に出来るヘアーカットクロスである。本発明は以上の構成よりなっているので、本発明を使用する時は、従来通りカットする時に使用する物で、掃除も簡単になり髪の毛が付く不快感も和らげる。
体、椅子全体を包み込む事で、首周り（２）袖口（３）裾（５）からも髪の毛が付きにくく、この結果今まで洋服・車椅子等に付きやすかったのが、掃除しやすいものとなる。
また、多少長さを変える事により、普通のカットクロスよりも髪の毛が洋服等に付着しにくく車椅子、特殊な形の椅子にも使え、掃除が簡単となる。
【０００６】
【発明の効果】
本発明を使用する事によって、髪の毛が洋服や靴・靴下・車椅子等に付着するのを防ぎ、掃除する時間を短縮し、特に障害者施設等では寮母さん達の掃除時間短縮となり、また髪の毛に対する不快感を和らげる物である。
【図面の簡単な説明】
【図１】本発明の斜視図である。
【図２】本発明の側図である。
【図３】本発明の要部斜視図である。
【図４】本発明の要部斜視図である。
【符号の説明】
１    ケープ体
２    襟
３    袖口
４    ベルト
５    裾
６    面ファスナー
７    面ファスナー
８    面ファスナー
【図１】
2004255153.tif 000003
【図２】
2004255153.tif 000004
【図３】
2004255153.tif 000005
【図４】
2004255153.tif 000006
(57)【要約】      （修正有）【課題】今現在一般的市場で売買されている座椅子、椅子使って、老人、介護を受けている方で身体の弱ってい人達座ったり、立ったり、する時、非常に御苦労されて、苦しんでこまっいる方、沢山いると思い、それを解決する為に椅子の座る尻の所へエアーでもって上下させて楽に立ちあがる事の出来る楽々エアー椅子を提供する。【解決手段】椅子の座る所にエアーを取付ける事で上下運動し、立ちあがる時、楽に出来ます。【選択図】なし【特許請求の範囲】
【請求項１】
現在一般的に使用されている、座椅子、椅子、座って立ちあがる時に、腰の悪い人、立ちあがる時に、非常に苦しんで（ヨツコイシウ）と云って、痛々しい思いで、立ちあがっています。
それを廻りでみていも大変苦労されていると思いその痛々さ解決する為に考案しました。
【発明の詳細な説明】
【０００１】
〔発明の属する技術分野〕
新しい座椅子、椅子は、座っている所の、お尻の下に、エアー操作（上下）運動し、立ちあがる時に、エアーボタン押すと大きく上に持ちあがって、エアーを抜くと下にさがって、普通の座椅子、椅子戻る
【０００２】
〔従来の技術〕
従来の座椅子、椅子ですと、座って立ちあがる時に足、腰の悪い人ですと、非常に苦しんで、立ちあがっています。
それを解消する為にも、座る所にエアーを取り付、立ちあがる時に、エアーを出して、足をくの字、やや上までエアーを出すことによって楽くに立ちあがる事できます
【０００３】
〔発明が解決しようとする課題〕
老人や介護、受けいる人達で身体の弱って、座ったり立つ事を苦労されている方に、エアー座椅子、椅子を使って頂きましたら、楽々、座ったり、立つ事の出来る椅子で有り前日の快適な生活を送る事が出来ると思います
【図面の簡単な説明】
【図１】旧座椅子
【図２】新座椅子エアーを注入された物です
2004255154.tif 000002
2004255154.tif 000003
(57)【要約】【課題】加齢による流動性知能の低下抑制と防止、  また、ピアノ練習効果の向上【解決手段】指先を５個の立方体に、決められた数字及び言語を記入した駒を正確に速くタッチすることにより、脳に刺激を与え迅速正確な脳からの指令により指先を正確迅速に、しかも、簡単な物から複雑なものまで繰り替えして実施して、正確さ及び迅速さの向上を追求することにより、脳に刺激を与えて流動性知能の老化を抑制防止しようとする健康補助具である。また、病中・病後の機能回復訓練等リハビリの用具として使用する。あるいは５個の立方体の数字面のみを使用して、ピアノ練習効果向上（正確に決められた長さでタッチする。）に役立てる。【選択図】  図５
2004255131.tif 000002
【特許請求の範囲】
【請求項１】
本発明は、５個の材質は問わない立方体（以後駒とゆう）からなり、個々の１面に１から５の数字を書き、３面に親指・人差し指・中指・薬指と小指に該当する言語を書いた５個の駒から出来ており、脳を活性化するとともに病中・病後の機能回復訓練等に役立つ健康補助具である
【発明の詳細な説明】
【０００１】
【発明の属する技術分野】
本発明は、５個の立方体に手の５本の指でタッチするおのおのの駒の１面には、１は親指・２は人差し指・３は中指・４は薬指、そして５は小指と決めて、縦又は横に並べた駒を番号順にタッチ・番号逆順にタッチ・右から・左からタッチ、また５個の駒を適宜に並べ替えて正確に速くタッチすることにより、視覚でとらえた情報を決めた指で順次タッチすることにより小脳の指運動領域を刺激すると同時に、大脳の左半球の数字処理領域にも刺激を与えることになる。
また、３面の言語、例えば１の３面に「お」・２の３面に「ひ」・３に「な」・４に「く」と５に「こ」等の指に該当する言語を描く面をタッチすることにより、大脳の右半球の言語処理領域に刺激を与えるので、小脳及び大脳を刺激することになり頭脳全体に刺激を与える効果の期待できる健康補助具である。
【０００２】
【従来の技術】
これまでは、手の表面を刺激して握りや引く力また握力を付ける等の運動領域の効果を目指すものやトランプ・かるた・囲碁将棋等の主に大脳を刺激する方に偏りの有る健康補助具である。
【０００３】
【発明が解決しようとする課題】
本発明は、脳の老化のうち加齢による流動性能力の刺激伝達速度の低下、反応時間の低下、数字処理速度言語判断領域の縮小を抑制し脳の老化防止を解決しようとするものである。
視覚・指先の触覚から脳に指先が決められた駒に正確に速くタッチして脳に伝達し、その判定時間の短縮と指に対するタッチ指令の速度と正確さを増すことにより脳の老化を抑制し防止の効果を得ようとするものである。
【０００４】
【課題を解決するための手段】
本発明は、５本の指先にタッチできる５個の駒の１面に数字の１から５を書き入れ、３面に５本の指名に該当する言語を書き入れて、１は親指・２は人差し指・３は中指・４は薬指・５は小指がタッチすることに決めて、数字面のみ、言語面のみ、数字言語混合等で、番号順、番号逆順・右から左から・上下に並べて等順次複雑な組み合わせで実施する。
数字のみから順次複雑な組み合わせを正確に速くタッチすることにより初歩段階より高度段階に脳の機能回復、脳の老化を抑制し防止する課題を解決できる
【０００５】
【発明実施の形態】
本発明は、５個の立方体の１面に１から５の数字を記入、３面に１には親指・２には人差し指・３には中指・４には薬指・５には小指に該当する言語を記入した物を横一列に並べたり、並列の順位を適宜に置き換えたり、または、縦に並べたりして、右手・左手で実施する。
また、同じ物を左右に２個並べて左右両手同時に実施する等組み合わせを様々に変更し簡単な組み合わせから、複雑な組み合わせまで実施しすることが出来る。
【０００６】
【発明の効果】
（１）  一人で正確さ迅速さの向上効果を目と体で確認でき、継続して実施する意欲が湧きやすい。
（２）  ５本の指先全部を均等にタッチするので偏りなく指の運動が出来る。
（３）  実施するのに場所を取らない。
（４）  簡単な組み合わせから、複雑な組み合わせまで実施可能であり、脳に与える刺激を増減できる。
（５）  二組を使用して、両手同時に実施できて、脳に対する刺激は複雑になり流動性知能の老化防止と抑制の効果を増す。
（６）  病中・病後の機能回復訓練具として使用できる。
（７）  数字面のみを使用して、ピアノ上達の練習具として可能である。
【図面の簡単な説明】
【図１】本発明の１個の立体図と面の番号
【図２】本発明の５個の１面図
【図３】本発明の５個の３面図
【図４】本発明の５個の上面図
【図５】使用状態の斜投影図
【符号の説明】
１  立方体正面
２  立方体左右側面
３  立方体裏面
４  立方体上底面
【図１】
2004255131.tif 000003
【図２】
2004255131.tif 000004
【図３】
2004255131.tif 000005
【図４】
2004255131.tif 000006
【図５】
2004255131.tif 000007
(57)【要約】【課題】特殊形状に加工した紙又はプラスチックシートで形成してありながら、十分な足の固定を可能にした、通気性に優れ、廉価で携帯に便利な使い捨て式のスリッパを提供する。【解決手段】足を乗せるためのシート１と、シート１と３辺を接着した足を固定するためのシート２からなり、シート２には、左右方向に平行で、互い違いに並ぶ多数の切り込みが設けられてある。足の大きさ、形状に変化、密着するシート２とシート１の間に足先を挿入することにより、足を固定する軽量で携帯性に優れた使い捨て式のスリッパ。【選択図】    図１
2004255137.tif 000002
【特許請求の範囲】
【請求項１】
特殊形状に加工した紙もしくはプラスチックシートによって形成される、足を乗せるためのシート１と足を固定するためのシート２で形成されるスリッパであって、左右方向に平行で互い違いに並ぶ多数の切り込みを有するシート２の伸長する形状により足先の固定を特徴とする使い捨て式のスリッパ。
【請求項２】
折りたたみ、袋状のプラスチックシートで包装することにより、従来のポケットティッシュと同形となり、携帯に適することを特徴とする請求項１記載の使い捨て式のスリッパ。
【発明の詳細な説明】
【０００１】
【発明に属する技術分野】
この発明は特殊形状に加工した紙もしくはプラスチックシートで形成した通気性に優れ、廉価で携帯に便利な使い捨て式のスリッパに関する。
【０００２】
【従来の技術】
従来の携帯式スリッパは使用時の形状、大きさのまま携帯せざるを得ず、またそれを入れるためのケースも必要不可欠となり、携帯に適しているとは言いがたい。また材質が洗濯に適さないため、汚れていてもそのまま複数回使用するという衛生面からも不都合なものである。
【０００３】
使い捨て式のスリッパが、特開２００２−１８６５０１号公報に公知である。そこでは足を乗せる部分と一体化した突起部で足の甲を巻き、固定できるようにしている。しかしながら携帯時における形状が本来使用する際の形状よりも大きく、かさばり、携帯性に優れない。
【０００４】
【発明が解決しようとする課題】
上記のように従来の携帯式スリッパはきわめて不衛生であり、本来使用する形状、大きさのままでの携帯はそのケースの大きさも相まって不都合である。また上記の使い捨て式のスリッパは携帯時に使用時以上の大きさであり、きわめて携帯性にかけるものである。
【０００５】
この発明の目的は、基本的には紙もしくはプラスチックシート製のスリッパでありながら、十分な足との固定が可能で、使用時には網目状となる足の挿入部の形状から、通気性も良く、足の蒸れもない使い捨て式のスリッパを提供することにある。
この発明の目的は、小さく折りたたんだ状態で供給でき、たいへん軽量でもあり、使用場所までの携帯に便利な使い捨て式のスリッパを提供することにある。
この発明の目的は、一度きりの使用に限定することにより、衛生的な使用が可能な使い捨て式のスリッパを提供することにある。
この発明の目的は、紙又はプラスチックシートによる、簡単な構造の為、たいへん廉価での供給が可能な使い捨て式のスリッパを提供することにある。
【０００６】
【課題を解決するための手段】
この発明のスリッパは、足を乗せるためのシート１と、シート１と３辺を接着した足を固定するためのシート２からなり、シート２には、上下方向に平行で互い違いの切り目が多数設けられてある。
【０００７】
【発明の実施の形態】
本体は特殊加工した紙もしくはプラスチックシートで形成されており、全体を小さく折り畳むことができる。使用時には、スリッパ全体を展開した後、シート１とシート２の間に足先を入れる。シート２が上下方向に平行で互い違いの切り目を有する構造から、足の挿入時にはシート２が足の形に伸長し、足を固定する。足の形状、大きさを問わず足を固定することが可能で、足を入れることによりシート２の形状は、蜂の巣状に無数の穴が開くことになり、その為、通気性を確保できる。
またシート１においては、デザイン性、強度確保の点から縦方向に溝を入れるなど自由に変更できる。またシート２においては、全ての部分に切り込みをいれる必要はなく、足先のみを切り込みのないまま残すなど、変更できる。
【０００８】
【実施例】
図２はこの発明に係るスリッパの実施例を示す。
【０００９】
【図面の簡単な説明】
【図１】全体の正面図である。
【図２】使用時を示す斜視図である。
【符号の説明】
１  足を乗せるためのシート１
２  足を固定するためのシート２
３  足の挿入口
４  多数の切り込み
【図１】
2004255137.tif 000003
【図２】
2004255137.tif 000004
(57)【要約】現在、トイレでは、巻芯タイプのロール紙トイレットペーパーが普及している。しかし、ペーパーの引き出し、切断、折りたたみなど、使用前に作業が発生する。一般の人には、今までごく普通の作業として行われていたものの、幼児、老人、身障者など不便を感じる場合もある。また、無駄なペーパー引き出し量も発生している。ロール紙を簡単に使用でき、紙資源の節約を目的とする。【課題】トイレットペーパーなどのロール紙を簡単に、使用できるようにし、紙資源の節約も可能とする。【解決手段】ロール紙の先端を２枚の板状のもので挟み、その板を回転することで、ロール紙を巻き取る。巻き取ったロール紙を切り離し、板の横からはずし使用する。【選択図】    図４
2004255139.tif 000002
【特許請求の範囲】
【請求項１】
ロール状に巻かれた紙などを、板状（コの字型の場合も有り）の物体を回転させ巻きつけ、回転の横方向から抜き取る装置。
【発明の詳細な説明】
【０００１】
【発明の属する技術分野】
本発明は、ロール状に巻かれた紙などを、簡単に引き出し、切断し、折りたたむ方法に関するものである。
【０００２】
【従来の技術】
現在、トイレットペーパーなどのロール紙を手で引き出し、ふたを押さえて切り取り、折りたたんで使用する。
【０００３】
【発明が解決しようとする課題】
従来のロール紙ホルダーによる使い方では、まず、ロール紙の先端を見つけつかむ。２枚重ねのペーパーなどは、巻きが合わずミシン目合わせに苦労する場合がある。
【０００４】
次にロール紙の引き出しですが、引き出した紙が下に付かないようある程度たたみながら引き出す。勢いがつくので、つい引き出しすぎてしまう。
【０００５】
ホルダーの上からロール紙を押さえながら、引きちぎる。両手での作業が必要。
【０００６】
手に取ったロール紙を適当な大きさにたたんでから使う。きれいにたためず丸めたように使う人もいる。
【０００６】
一般の人には、今までごく普通の作業として行われていたものの、幼児、老人、身障者など不便を感じる場合もある。また、無駄なペーパー引き出し量も発生している。
【０００７】
本発明は、ロール紙の使用を簡単にし、必要な分だけ折りたたんだ状態で取得できるようにするものである。
【０００８】
【課題を解決するための手段】
上記目的を達成するために、本発明のロールペーパーホルダーにおいては、ロール紙の先端を板状のもので挟み、その板を縦回転することで、ロール紙を巻き取る。巻き取ったロール紙を切り離し、板の横から巻き取ったロール紙をはずし使用する。
【０００９】
ロール紙先端は、バネ、磁力または、モーターの力ではさむなどが考えられる。
【００１０】
ロール紙をはさむため、はさむ板を少し上方に移動し、２枚の板の間に、垂れ下がったロール紙が入るようにする。
【００１１】
ロール紙をはさんだら、次回にはさみ易いように、少し下方にはさんだ板を移動し、ロール紙を引き出しておく。
【００１２】
ロール紙の巻きの方向に、板を回転し、ロール紙を適量巻き取る。
回転数と、板の大きさにより、紙を使いやすいように調整できるので、好みにより調整機能も追加可能。
【００１３】
板の上方でロール紙をカットし、はさんだ板を緩め、回転方向に対して横方向に、紙を抜き取れば、折りたたんであるので、そのまま使用できる。
板の形状は、中心を空にすると、横方向に紙を引き出しやすい。
ホルダーの配置により、引き出し方向は、設置時に選べるようにする。
引き出しやすいように、引き出し口が正面に出てくる機構も可能である。
また、この紙の引き出しまで、自動化し、適量に折りたたまれた紙が受け皿に落ちてくるまでの機構も可能と思われる。
【００１４】
【発明の実施の形態】
発明の実施の形態をトイレットペーパーの例で、図面を参照して説明する。図１において、左上がトイレットペーパーのロール紙で、紙の先端が垂れ下がっている状態である。下にあるコの字型の板は、２枚の板が開いている状態で、上方に移動する。
【００１５】
図２は、開いた２枚の板が、ロール紙の先端がはさめる位置まで上方に移動した状態である。次に、２枚の板を閉じロール紙をはさむ。
【００１６】
図３は、２枚の板が閉じ、ロール紙をつかんだ状態である。次に、ロール紙をつかんだまま、板は下方に移動する。
【００１７】
図４は、次回作動のために、ロール紙先端をつかんで、下方に移動し、先端を引き出した状態である。次に、板は回転する。
【００１８】
図５は、板が回転し、適量のロール紙を巻きつけた状態である。次に、線の部分でロール紙をカットする。
【００１９】
図６は、ロール紙をカットした後の状態である。次に、ロール紙をはさんだ２枚の板を開く。
【００２０】
図７は、カットしたロール紙をはずすため、２枚の板を開いた状態である。次にロール紙を板からはずす。
【００２１】
図８は、ロール紙を取り外した状態である。カットされたロール紙は筒状に折りたたまれている。
【００２２】
【発明の効果】
本発明の「ロール紙の引き出しと切断、折りたたみホルダー」によれば、ロール紙を、年少者、老人、障害者などに簡単に使用できるようにする。また、健常者でも片手で簡単な使用を可能とする。さらに、適量な紙使用により、紙資源の節約に役立つことと思われる。
【００２３】
【図面の簡単な説明】
【図１】作動第１段階、２枚の板が、上方に移動する正面図と側面図である。
【図２】作動第２段階、２枚の板が、ロール紙先端をはさむ正面図と側面図である。
【図３】作動第３段階、２枚の板が、ロール紙先端を引き出す正面図と側面図である。
【図４】作動第４段階、２枚の板が、ロール紙を巻き取る正面図と側面図である。
【図５】作動第５段階、２枚の板が、巻き取ったロール紙カットする正面図と側面図である。
【図６】作動第６段階、２枚の板が、開く正面図と側面図である。
【図７】作動第７段階、２枚の板から、ロール紙をはずす正面図と側面図である。
【図８】作動第８段階、ロール紙をはずした正面図である。
【符号の説明】
１  ロール紙
２  開いた２枚の板
３  閉じた２枚の板
４  巻きつけられたロール紙
５  折りたたまれたロール紙
【図１】
2004255139.tif 000003
【図２】
2004255139.tif 000004
【図３】
2004255139.tif 000005
【図４】
2004255139.tif 000006
【図５】
2004255139.tif 000007
【図６】
2004255139.tif 000008
【図７】
2004255139.tif 000009
【図８】
2004255139.tif 000010
(57)【要約】【課題】二つ折りの干し方だと、日光の当たらない部分が有る為、最低でも３回は返さなければなりません、それを手軽に干す方法はないか。【解決手段】１回返しをする為に、手すりに二つ折りにした布団や毛布・シーツカバーなど、日光に当たらない部分に対して、折り畳み式アームを取り付ける事で可能にしました。又、主婦でも手軽に出来るように軽量かつ、スムーズに出来るようにアームの上げ下ろしをワンタッチで出来るようにしました。それに加えて、日光の当たり具合で角度を三段階に固定できるようにしました。更に、どのような手すりにも取り付けが可能なように、二種類の固定器具を作り、市販の物干竿が取り付けられるようにした事によって布団・シーツカバー以外にも、衣類などの洗濯物も干せるようにしました。よって、干し物が終われば折り畳んで置け、風貌も良くなるはずです。【選択図】      図２
2004255136.tif 000002
【特許請求の範囲】
【請求項１】
ピンや棒などを使わずして位置が固定でき、スムーズにアームが上下できる。折畳式布団干しアーム。
【請求項２】
物全体の仕組みと組み合わせ。
【発明の詳細な説明】
【０００１】
【発明の属する技術分野】
本発明は、一般家庭用のベランダ及び廊下手すりに取り付け布団、干し物を干す、器具に関する。
【０００２】
【従来の技術】
従来のベランダ専用布団干し器は、日光当てに従し折り畳みにピンや棒などを使い、手軽さに掛けており又、形や大きさも家庭の主婦には、使い勝手が悪そうで、風貌にも掛けている気がします。
【０００３】
【発明が解決しようとする課題】
日光のさし具合によりアームの角度が変えられ、ピンや棒などを使わずして、スムーズな動きが出来ないか。
【０００４】
市販の物干し竿が取り付けられ、どんな手すりにも、取り付けが可能で、布団以外の干し物にも使えないか。
【０００５】
【課題を解決するための手段】
第１の解決手段として、歯車の溝を利用して三段階の角度を作り、日光のさし具合の面に対処し、０度から１８０度の間でアームがスムーズに上下出来るように、対処した。
【０００６】
第２の解決手段として、どのような手すりにも取り付けが可能なように、ボルトはさみ締め式と、スライド締め式の二種類を用意します。布団以外の干し物も干せるように、市販の物干竿を取り付けられるようにし、布団のサイズやベランダの広さに対処できるように、アームをスライド式にしました。
【０００７】
【発明実施の形態】
以下、本発明の実施の形態として一実施例を図１〜図７に基ずいて説明する。
【０００８】
スムーズな上下運動を可能にした事を、図１と図２で説明致します。
▲１▼は、▲９▼のバネによって押され、溝に入りアームを固定する役割と、本体▲１０▼を上下にスライドする役割をしています。まず、▲１▼は▲２▼の溝で停止し、たたまれた状態から始まり、本体▲１０▼をスライドし、▲３▼▲４▼▲５▼の溝のいずれにも停止固定出来るようになっており、日光対処となります。続いて、▲６▼によって右斜め上の▲７▼まで斜め移動し、▲１２▼の溝により動けない状態で▲７▼をスライドしながら、下に降りて行き▲８▼によって、逆に左斜めに移動し▲２▼の溝に戻ります。この仕組みによって、スムーズな上下運動を可能にしました。
【０００９】
課題２の説明について、図３から図７で説明致します。
まずは、アルミの格子状の手すりに取り付けられるように、図３のようなボルトナットによる、はさみ締め器具を作りました。次に、図４のような手すり幅に応じたスライド締め器具を作りました。図５のようなはさみ締めにし、市販の物干竿が取り付けられえるように作りました。また、▲１６▼のアームは、布団のサイズやベランダの広さに対処できるように、アームをスライド式にしました。▲１５▼は、布団が強風により飛ばされないように、ピン針式で安全のためキャップを付けました。尚、毛布やシーツカバー等の薄手のものは市販のハサミで挟めます。
【００１０】
【発明の効果】
上述したように本発明のベランダ専用折り畳式布団干しアームは、主婦にも手軽に操作でき、色々な用途に答える事が出来る器具だと思います。
【図面の簡単な説明】
【図１】本発明の請求項１を示す、斜め側面図
【図２】本発明の請求項１を示す、正面図
【図３】本発明の請求項２を示す、ハサミ締め器具図
【図４】本発明の請求項２を示す、スライド締め器具図
【図５】本発明の請求項２を示す、ハサミ締め竿受け図
【図６】本発明の請求項２を示す、針バサミ器具図
【図７】本発明の請求項２を示す、スライド式アーム図
【図８】本発明の請求項２を示す、アームを上げている時の全体図
【図９】本発明の請求項２を示す、アームを下げている時の全体図
【符号の説明】
▲１０▼本体重要部分
【図１】
2004255136.tif 000003
【図３】
2004255136.tif 000004
【図５】
2004255136.tif 000005
【図６】
2004255136.tif 000006
【図７】
2004255136.tif 000007
【図８】
2004255136.tif 000008
【図９】
2004255136.tif 000009
【手続補正書】
【提出日】平成15年4月26日(2003.4.26)
【手続補正１】
【補正対象書類名】図面
【補正対象項目名】全図
【補正方法】変更
【補正の内容】
【図１】
2004255136.tif 000010
【図２】
2004255136.tif 000011
【図３】
2004255136.tif 000012
【図４】
2004255136.tif 000013
【図５】
2004255136.tif 000014
【図６】
2004255136.tif 000015
【図７】
2004255136.tif 000016
【図８】
2004255136.tif 000017
【図９】
2004255136.tif 000018
(57)【要約】【課題】顎乗せ台で重い頭を支え，首，肩に懸かる疲労を防ぐ補助をする用具を提供する。【解決手段】顎乗せマクラ１を支柱４，５，６，８を以って支え，その連結をスプリング３を介して柔軟性を持たせ、且つ高、低の調節を可能にし，コ字基台９によりテーブルの縁に固定、又は平板基台１５によりテーブルに，置くだけで固定せずに使用することもできる。【選択図】    図１
2004255140.tif 000002
【特許請求の範囲】
【請求項１】
顎を乗せるマクラ（１）に，マクラ（１）を受けるマクラ受け台（２）の下に上部支柱（４）を固着し一体となし、下部支柱（５）と上部支柱（４）をスプリング（３）で上部支柱（４）と下部支柱（５）との間に距離を隔てて連結し、スプリング（３）のずれ落ち防止に、スプリングずれ止め（６）を下部支柱（５）の中間に固着する一方、支柱心棒（８）は下部支柱（５）と上下スライド自在の働きを持たせ，支柱心棒（８）に上下調節用複数段の支柱心棒の止め穴（１３）をもって下部支柱（５）についた伸縮止め具（７）で適当な段で止め、コ字基台（９）には上面の中心にコ字基台のボス（１０）を固着して支柱心棒（８）を差し込み、コ字基台のボス（１０）に設けたボスネジ（１１）により支柱心棒（８）とコ字基台のボス（１０）を固定し、コ字基台（９）には、基台止めネジ（１２ａ、ｂ）を有してなる、頭の重量軽減の為の顎乗せ台。
【請求項２】
コ字基台（９）の代りに平板基台（１５）を用いてなる請求項１記載の顎乗せ台。
【発明の詳細な説明】
【０００１】
【発明の属する技術分野】
本発明はテーブルに向かい仕事をする際、顎を乗せて、頭の重量を支え，首や，肩に与える疲労軽減に関するものである。
【０００２】
【従来の技術】
従来，顎乗せ台として使用するものは医療向けに多く，眼底検査，レントゲン検査など静止，固定するもの等に知られている。（例えば、特開平８９−２９９２６７号公報、特開平５−３００８７５公報、特開２００１−７９０２５号公報参照）
【０００３】
【発明が解決しようとする課題】
従来長時間同じ姿勢でテーブルに向かい、パソコン，読書，書述など行う場合首や肩が過労するとゆう問題を有していた。
【０００４】
本発明は従来の技術の有するこのような問題に鑑みて成されたものであり，その目的とするところは、顎乗せ台を簡単な作業によりテーブルの縁等に止めることにより，又はテーブルの上で任意の所において使用でき、かつ高さの調節が出来，外観的にも優れた頭の重量軽減の為の、顎乗せ台を提供しようとするものである。
【０００５】
【課題を解決するための手段】
上記目的を達成するために、本発明に於ける頭の重量軽減の為の顎乗せ台は、顎を乗せるマクラに、マクラを受けているマクラ受け台の下に、上部支柱を固着し一体となし、下部支柱と上部支柱をスプリングで上部支柱と下部支柱との間に距離を隔てて連結し、スプリングのずれ落ち防止には、スプリングずれ止めを下部支柱の中間に固着する一方、支柱心棒は下部支柱と上下スライド自在の働きを持たせ、支柱心棒には上下調節用複数段の支柱心棒の止め穴をもって下部支柱についた伸縮止め具で適当な段で止め、コ字基台には上面の中心にコ字基台のボスを固着して支柱心棒を差し込み、コ字基台のボスに設けたボスネジにより支柱心棒とコ字基台のボスを固定し、コ字基台には、基台止めネジを有してなるものである。
【０００６】
そして、顎乗せ台をコ字基台によりテーブルの縁に固定するだけでなく，随時移動可能な平板基台に差し替えることもできる。
【０００７】
さらに、支柱を１本の棒体とせず中間にスプリングを介在させることにより多少の首振りを可能とすることが好ましい。
【０００８】
【発明の実施の形態】
本発明の実施の形態について図面を参照して説明する。
図１に於いて、スポンジなどのクッション材を用いたマクラ１を、マクラ受け台２の上に接着剤を用いて固着し、マクラ受け台２の裏側に上部支柱４を固着し、下部支柱５との連結を、スプリング３により上部支柱４と下部支柱５を適当な距離を隔てて連結し、スプリング３のずれ落ち止めとしてスプリングずれ止め６を下部支柱５に固着した支柱心棒８は、下部支柱５と上下スライド自在のものとし、伸縮止め具７により必要な高さで締めて固定する。又、支柱心棒８はその下端をコ字基台９に設けたコ字基台のボス１０に差込みコ字基台のボス１０に設けたボスネジ１１で締めて固定し、コ字基台の口の開いた側をテーブルなどの縁に差込み基台止めネジ１２ａ，ｂ，により固定する。
図２は、図１におけるマクラ部１、２から支柱部３、４、５、６、７、８までの側面図である。
図３において、支柱心棒８に複数段の高さ調節用の支柱心棒の止め穴１３を示した側面図である。
図４において、本顎乗せ台をテーブルの任意の位置に置けるように、平板基台を用いた斜視図である。
図５は、支柱中央部を示した断面図である。
図６は、コ字基台を用いて机の縁に止め、パソコン作業をする状態を示した参考図である。
【０００９】
【発明の効果】
本発明は、以上に説明した構成によるもので、以下にその効果を奏する。
【００１０】
上下２本に分かれた支柱をスプリングで連結したことにとり、上下、左右の顔の向きに柔軟性を持たせることができる。
【００１１】
そして、机やテーブル等使用する場所に応じて、顎乗せ台の高、低を調節できるので、最も楽な姿勢で使用することができる。
【００１２】
さらに、使用する場所に応じて、コ字基台の固定できない場所もしくは、頻繁に移動する場合は、平板基台の使用により最適な使い分けが出きる。
【００１３】
また、分解や組み立てが簡単で、持ち運びも便利である。
【図面の簡単な説明】
【図１】コ字基台式全体正面図である。
【図２】マクラ，支柱部の側面図である。
【図３】支柱心棒、コ字基台部の側面図である。
【図４】平板基台式全体の斜視図である。
【図５】支柱部の断面図である。
【図６】本発明の使用状態を示す一例である。
【符号の説明】
１  マクラ
２  受け台
３  スプリング
４  上部支柱
５  下部支柱
６  ずれ止め
７  伸縮止め具
８  支柱心棒
９  コ字基台
１０  ボス
１１  ボスネジ
１２ａ、１２ｂ  基台止めネジ
１３  止め穴
１５  平板基台
【図１】
2004255140.tif 000003
【図２】
2004255140.tif 000004
【図３】
2004255140.tif 000005
【図４】
2004255140.tif 000006
【図５】
2004255140.tif 000007
【図６】
2004255140.tif 000008
(57)【要約】【目的】現在の香炉は、胴の部分が陶磁器で出来ているためにそこに熱の吸収があり又手を触れた場合に火傷をする等の危険性がある。これらのことがなく安全な茶香炉を提案するものである。【構成】茶香炉の胴の部分に金網又は細い金属を使用するヒとにより、外部より灯りを見ることが出来るにも拘わらず火傷をすることもない便利な香炉とすることが出来る。【選択図】図２
2004255127.tif 000002
【特許請求の範囲】
【請求項１】
香炉の胴の部分を金網とし、香の素材として茶を使用する香炉。
【請求項２】
請求項１において金網の代わりに細い金属とするもの。
【発明の詳細な説明】
【０００１】
【発明の属する技術分野】
本発明は、素材として茶を使用する茶香炉に関する。
【０００２】
【従来の技術】
従来の方式は、図１に示す如く、香の素材を置く皿と下部の加熱部分との間の胴が、吸排気を行う小孔を持つ陶磁器製のものが多く使用されている。
【０００３】
【発明が解決しようとする課題】
現在使用されている香炉は、下部よりの熱がこの胴の部分に吸収されるため、上部の皿の昇温速度が遅くなる。
又、加熱される胴の部分も熱くなるために、手が触れた場合に火傷する危険性があり、吸排気口の孔が小さいために内部の灯りなどの状態が判り難いために、灯りの消し忘れなども招き易い。
【０００４】
吸排気口を作るために、製品のデザインに制約を招くことが多い。
【０００５】
【課題を解決するための手段】
上記課題を解決するため、図１に示すように香炉の胴の部分を金網とし、もしくは細い金属により構成する。且つ、香の素材として茶を使用する。
【０００６】
【発明の実施の形態】
香炉の構造を図２に示すように、胴の部分が金網よりなる。
蒸し皿▲６▼に茶を置き、下部の皿▲８▼に置かれたロウソクにより徐々に加熱された上部の茶が香りを発生する。
【０００７】
蒸し皿▲６▼は、茶を蒸し焼きするもので、材質はステンレス等の金属や陶磁器、耐熱ガラス等を使用する。金属を使用する場合は、胴の部分▲７▼と溶接する等の一体構造とすることも出来る。
胴の部分▲７▼は、金属の網筒となり網の大きさは８０メッシュ前後がよい。
下部の皿▲８▼は、金属や陶磁器、ガラス等を使用する。本案の炉では過熱されないので、プラスチック等を使用することも出来る。
【０００８】
【作用】
胴の部分が金属網筒よりなるため、吸排気孔の役割も成している。又、吸排気を同一壁で行うため、高熱化しないし、上部皿▲６▼よりの熱伝導も行われにくい。金属にステンレスを使用する場合は熱伝導が低い。その為に、網に手を触れても火傷をする心配もない。
【０００９】
筒の部分が網状のため、灯りが網筒全体に現れてこの茶香炉が「灯籠」ようとなり、心の安らぎを与える働きを持ち、テーブルなどに置けば装飾ともなる。
むき出しでない網で和らいだ優しい灯りとなる。又、外より容易に見ることが出来るので、ローソクの消し忘れを生じることもない。
同時に、網が外気の動きを微妙に遮断するので、多少の外気でローソクの炎が乱されることはない。尚、網であるために強い息吹き付けにより、外よりローソクの炎を吹き消すことが出来る。
【図面の簡単な説明】
【図１】これまでの茶香炉
【図２】本発明の茶香炉
【符号の説明】
▲１▼茶を蒸し焼きにする皿
▲２▼炉筒
▲３▼吸排気孔
▲４▼蝋燭
▲５▼蝋燭用皿
▲６▼茶を蒸し焼きにする皿
▲７▼金網筒
▲８▼蝋燭用皿
【図１】
2004255127.tif 000003
【図２】
2004255127.tif 000004